【手続補正書】
【提出日】平成18年2月9日(2006.2.9)
【手続補正１】
【補正対象書類名】明細書
【補正対象項目名】発明の名称
【補正方法】変更
【補正の内容】
【発明の名称】画像形成装置及びカートリッジと該カートリッジに搭載されるメモリデバイス
【手続補正２】
【補正対象書類名】明細書
【補正対象項目名】特許請求の範囲
【補正方法】変更
【補正の内容】
【特許請求の範囲】
【請求項１】
静電潜像を担持する像担持体と、
前記像担持体上の静電潜像を現像するための現像剤を収容する現像剤収容容器と、
前記現像剤を担持する現像剤担持体と、
前記像担持体の表面を帯電する帯電部材と、
前記現像剤収容容器内の現像剤量を検知するための検知部材と、
前記現像剤担持体と前記検知部材との間の静電容量に応じた値に基づいて前記現像剤収容容器内の現像剤量を求める制御ユニットと、
を有し、
前記制御ユニットは、前記像担持体を帯電するための帯電条件に基づいて、前記現像剤担持体と前記現像剤検知部材との間の静電容量に応じた値を補正して、補正した値に基づいて前記現像剤収容容器内の現像剤量を求めることを特徴とする画像形成装置。
【請求項２】
前記帯電条件は、前記画像形成装置の画像形成速度に応じて変更されることを特徴とする請求項１に記載の画像形成装置。
【請求項３】
更に、前記現像剤担持体と前記現像剤検知部材との間の静電容量に応じた値を前記現像剤収容容器内の現像剤量に変換するためのテーブルを記憶する記憶手段を有し、前記制御ユニットは、前記テーブルを用いて前記現像剤収容容器内の現像剤量を求めることを特徴とする請求項１に記載の画像形成装置。
【請求項４】
更に、前記現像剤担持体と前記現像剤検知部材との間の静電容量に応じた値を補正するための補正値と、前記現像剤収容容器内の現像剤量が満杯の状態での前記静電容量に応じた値とを記憶する記憶手段を有し、前記制御ユニットは、前記記憶手段に記憶されている前記補正値と前記現像剤担持体と前記現像剤量検知部材との間の現像剤量が満杯の状態での前記静電容量に応じた値とを用いて、前記現像剤収容容器内の現像剤量を求めることを特徴とする請求項１に記載の画像形成装置。
【請求項５】
画像形成装置に着脱可能なカートリッジであって、静電潜像を担持する像担持体と、前記像担持体上の静電潜像を現像するための現像剤を収容する現像剤収容容器と、前記現像剤を担持する現像剤担持体と、前記現像剤収容容器内の現像剤量を検知するための現像剤量検知部材と、前記像担持体の表面を帯電するための帯電部材と、前記カートリッジに関する情報を記憶する記憶手段とを有し、
前記記憶手段に、前記像担持体への帯電条件に基づいて、前記現像剤担持体と前記現像剤検知部材との間の静電容量に応じた値を補正するための補正値を記憶する記憶領域を有することを特徴とするカートリッジ。
【請求項６】
更に、前記現像剤収容容器内の現像剤量が満杯の状態での前記静電容量に応じた値を記憶する記憶領域を有することを特徴とする請求項５に記載のカートリッジ。
【請求項７】
画像形成装置において使用可能なカートリッジに搭載されるメモリデバイスであって、
前記画像形成装置は、静電潜像を担持する像担持体と、前記像担持体上の静電潜像を現像するための現像剤を収容する現像剤収容容器と、前記現像剤を担持する現像剤担持体と、前記現像剤収容容器内の現像剤量を検知するための現像剤量検知部材と、前記像担持体の表面を帯電するための帯電部材と、を含み、
前記メモリデバイスは、前記像担持体を帯電するための帯電条件に基づいて、前記現像剤担持体と前記現像剤検知部材との間の静電容量に応じた値を補正するための補正値を記憶する記憶領域を有することを特徴とするメモリデバイス。
【請求項８】
更に、前記現像剤収容容器内の現像剤量が満杯の状態での前記静電容量に応じた値を記憶する記憶領域を有することを特徴とする請求項７に記載のメモリデバイス。
【請求項９】
静電潜像を担持する像担持体と、
前記像担持体上の静電潜像を現像するための現像剤を収容する現像剤収容手段と、
前記現像剤を担持する現像剤担持体と、
前記現像剤の量に応じた前記現像剤収容手段内の静電容量の値を検知して、前記現像剤収容手段内の現像剤残量を検知する現像剤量検知手段と、
前記像担持体の帯電条件を設定する設定手段と、
を有する画像形成装置であって、
前記現像剤量検知手段は、前記静電容量の値と前記設定手段によって設定された前記帯電条件とに基づいて、前記現像剤残量を求めることを特徴とする画像形成装置。
【請求項１０】
前記現像剤収容手段は、前記画像形成装置に対して着脱可能なカートリッジに含まれることを特徴とする請求項９に記載の画像形成装置。
【請求項１１】
前記設定手段は、画像形成速度に応じて前記帯電条件を設定することを特徴とする請求項９又は１０に記載の画像形成装置。
【請求項１２】
更に、前記現像剤収容手段に現像剤が最大量収容されている状態での前記静電容量の値またはその代替値を記憶する記憶手段を有し、
前記現像剤量検知手段は、前記記憶手段に記憶された値に基づいて、前記現像剤残量を求めることを特徴とする請求項９乃至１１のいずれか１項に記載の画像形成装置。
【手続補正３】
【補正対象書類名】明細書
【補正対象項目名】０００１
【補正方法】変更
【補正の内容】
【０００１】
【発明の属する技術分野】
本発明は、トナーとしての現像剤を用いる画像形成装置及びカートリッジと、そのカートリッジに搭載されるメモリデバイスに関する。
【手続補正４】
【補正対象書類名】明細書
【補正対象項目名】０００６
【補正方法】変更
【補正の内容】
【０００６】
本発明は、像担持体に対する帯電条件が変化しても、現像剤収容容器内の現像剤量を正確に検知可能な画像形成装置及びカートリッジと、該カートリッジに搭載されるメモリデバイスを提供することを目的とする。
【手続補正５】
【補正対象書類名】明細書
【補正対象項目名】０００７
【補正方法】変更
【補正の内容】
【０００７】
【課題を解決するための手段】
上記目的を達成するため、本発明に係る装置は、静電潜像を担持する像担持体と、前記像担持体上の静電潜像を現像するための現像剤を収容する現像剤収容容器と、前記現像剤を担持する現像剤担持体と、前記像担持体の表面を帯電する帯電部材と、前記現像剤収容容器内の現像剤量を検知するための検知部材と、前記現像剤担持体と前記検知部材との間の静電容量に応じた値に基づいて前記現像剤収容容器内の現像剤量を求める制御ユニットと、を有し、前記制御ユニットは、前記像担持体を帯電するための帯電条件に基づいて、前記現像剤担持体と前記現像剤検知部材との間の静電容量に応じた値を補正して、補正した値に基づいて前記現像剤収容容器内の現像剤量を求めることを特徴とする。
【手続補正６】
【補正対象書類名】明細書
【補正対象項目名】０００９
【補正方法】変更
【補正の内容】
【０００９】
上記目的を達成するため、本発明に係るメモリデバイスは、画像形成装置において使用可能なカートリッジに搭載されるメモリデバイスであって、前記画像形成装置は、静電潜像を担持する像担持体と、前記像担持体上の静電潜像を現像するための現像剤を収容する現像剤収容容器と、前記現像剤を担持する現像剤担持体と、前記現像剤収容容器内の現像剤量を検知するための現像剤量検知部材と、前記像担持体の表面を帯電するための帯電部材と、を含み、前記メモリデバイスは、前記像担持体を帯電するための帯電条件に基づいて、前記現像剤担持体と前記現像剤検知部材との間の静電容量に応じた値を補正するための補正値を記憶する記憶領域を有することを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
上記目的を達成するため、本発明に係る他の画像形成装置は、静電潜像を担持する像担持体と、前記像担持体上の静電潜像を現像するための現像剤を収容する現像剤収容手段と、前記現像剤を担持する現像剤担持体と、前記現像剤の量に応じた前記現像剤収容手段内の静電容量の値を検知して、前記現像剤収容手段内の現像剤残量を検知する現像剤量検知手段と、前記像担持体の帯電条件を設定する設定手段と、を有する画像形成装置であって、前記現像剤量検知手段は、前記静電容量の値と前記設定手段によって設定された前記帯電条件とに基づいて、前記現像剤残量を求めることを特徴とする。
【手続補正９】
【補正対象書類名】明細書
【補正対象項目名】００１２
【補正方法】削除
【補正の内容】